(57)【特許請求の範囲】
【請求項１】
タクシー車両に搭載された状態で、少なくとも乗客毎の乗車後の経過時間の長さを表す乗車時間の情報を取得する機能を備えたタクシーメータと接続可能な付加サービス料金算出装置であって、
前記タクシーメータから前記乗車時間の情報を取得する時間情報取得手段と、
少なくともタクシー乗車料金とは別の付加サービスの種類を表す種別情報を入力する種別情報入力手段と、
前記付加サービスの料金体系に関する情報を保持する料金体系情報保持手段と、
前記種別情報と、前記乗車時間の情報と、前記料金体系情報保持手段が保持している料金体系の情報とに基づいて、前記付加サービスの料金を算出する付加サービス料金算出手段と
を備え、
前記料金体系情報保持手段が、前記付加サービスの種別毎に、該当する付加サービスの種別の内容を表す文字列情報を保持し、
前記付加サービス料金算出手段が、算出した付加サービスの料金と該当する付加サービスに割り当てられた前記文字列情報とを対にして出力する
ことを特徴とする付加サービス料金算出装置。
【請求項２】
前記種別情報入力手段は、前記乗車時間に応じて料金が変化する第１組の付加サービスの種別情報に関する入力と、前記乗車時間とは無関係の固定料金が割り当てられた第２組の付加サービスの種別情報に関する入力とを個別に受け付け、
前記料金体系情報保持手段は、前記第１組の付加サービスの種別毎に、前記乗車時間の長さの区分に対応した複数の料金情報と、前記第２組の付加サービスの種別毎に割り当てられた料金情報とを保持する
ことを特徴とする請求項１に記載の付加サービス料金算出装置。
【請求項３】
タクシー車両に搭載された状態で、少なくとも乗客毎の乗車後の経過時間の長さを表す乗車時間の情報を取得する機能を備えたタクシーメータと、これに接続可能な付加サービス料金算出装置とで構成されるタクシー料金管理システムあって、
少なくともタクシー乗車料金とは別の付加サービスの料金体系に関する情報と、前記付加サービスの種別毎の内容を表す文字列情報とを前記付加サービス料金算出装置に保持し、
前記乗車時間の情報を前記タクシーメータから前記付加サービス料金算出装置に送信し、
所定の入力操作部から前記付加サービス料金算出装置に対して、少なくともタクシー乗車料金とは別の付加サービスの種類を表す種別情報を入力し、
前記付加サービス料金算出装置が、前記付加サービスの種別情報と、前記乗車時間の情報と、前記付加サービスの料金体系の情報とに基づいて、前記付加サービスの料金を算出し、算出した付加サービスの前記料金と、当該付加サービスに割り当てられた前記文字列情報とを対にして出力する
ことを特徴とするタクシー料金管理システム。
【発明の詳細な説明】
【技術分野】
【０００１】
本発明は、タクシー車両に搭載された状態で、タクシーメータと接続可能な付加サービス料金算出装置およびタクシー料金管理システムに関する。
【背景技術】
【０００２】
タクシーの営業を行う場合には、一般にタクシーメータと呼ばれる車両用運賃通知装置（車載装置）を使用する。そして、運転者はタクシーメータの操作部（ボタンなど）を操作することにより、タクシーの様々な運行状態の違いを区別できるように状態を切り替える。タクシーメータは予め定められた料金体系と、状態の変化や走行距離、運行時間などに応じて運賃を算出し、運賃を表示したり領収書を発行する機能を搭載している場合が多い。
【０００３】
また、タクシーメータが表示する運賃については、通常の賃走や深夜早朝割増の料金制の他にも、様々な料金制が適用される場合がある。例えば、時間を指定してタクシーを予約した時に乗車料金に加算する時間指定予約料金や、予約先への到着から乗客が乗車するまでに標準時間を超える待時間が発生した時に、超過時間に応じて乗車料金に加算する無線待料金等の追加料金制がある。また、前記追加料金制以外の新規料金制としては、前記通常乗車料金に対応して設定される標準所要時間よりも実際の所要時間が短い時に、通常乗車料金をその時間差に応じて割引する快速走行割引や、通常乗車料金が一定の基準額を超える時に、通常乗車料金のうち基準額を超える料金を一定の率で割引する遠距離割引等の割引料金制がある。
【０００４】
このような様々な料金制に対応可能なタクシーメータの従来技術が、例えば特許文献１に開示されている。また、このような特別な料金制の運賃に関し、適用前後の差額を、タクシーメータに外付けされる特別な料金表示装置を用いて、タクシーメータの表示とは別に表示することが特許文献２に開示されている。
【先行技術文献】
【特許文献】
【０００５】
【特許文献１】特開平８−２２１６０９号公報
【特許文献２】特開平９−２７０５２号公報
【発明の概要】
【発明が解決しようとする課題】
【０００６】
ところで、タクシー事業者においては従来のタクシー運行の他に、付加的な新たなサービス業務を行うことが考えられている。新たなサービス業務の具体例としては、介護タクシーサービスが考えられる。
【０００７】
例えば、介護の必要な老人や身障者がタクシーに乗降する際に、特別な介護者に代わってタクシー運転手等が、あるいはタクシー会社側が用意した特別な介護者が介護を行うサービスが考えられる。また、タクシーへの乗降時の介護だけでなく、一般的な介護も含めて行うことが考えられる。
【０００８】
このような新たなサービス業務を実施する場合には、この付加サービスに関する料金の決済が問題になる。例えば、特許文献１に開示された従来のタクシーメータや特許文献２に開示された外付けの表示装置では、運賃と関連のある料金しか表示できないので、付加サービスの料金についてはタクシーの乗務員等が頭の中で計算を行い、手書きのメモ等を用いて利用者に支払いの必要な金額を提示することになる。
【０００９】
従って、タクシー利用者側は正規の料金を請求されているのかどうかについて不信感を抱く可能性がある。また、タクシー事業者側では、各々のタクシー車両について、実際にどのような付加サービスが実施されてどれだけの金額を請求したのかを把握するための情報を得ることができない。
【００１０】
また、従来のタクシーメータに、上記のような付加サービスの料金決済に関する機能を新たに組み込もうとする場合には、次のような問題がある。すなわち、介護タクシーサービスのような付加サービスには様々な種類があり、その種類の違いによって事業者側の負担の大きさも変化するので、この料金を計算する際には、付加サービスの種類や内容を特定するために様々な情報を入力しなければならない。
【００１１】
タクシーメータには従来より様々な操作ボタンが備わっているが、上記のような付加サービスのために割り当て可能なボタンの数は限られているので、付加サービスの種類や内容を表す情報を簡単に入力することができない。また、もしもタクシーメータに搭載する操作ボタンの数を更に増やすと、上記のような付加サービスを実施しないタクシー車両の場合には、ボタンの数が多すぎて入力操作の間違いなどが生じやすくなり、操作性に問題がある。
【００１２】
一方、上記のような付加サービスの料金決済に関する機能を、タクシーメータとは完全に独立した携帯端末のような専用の入出力端末に搭載することも考えられる。しかし、介護タクシーサービスのような付加サービスを実施する場合には、時間の長さに応じて変化する料金体系を採用するのが望ましい場合もある。料金が時間の長さに応じて変化する場合には、正しい時間を入力しなければ正しい料金が出力されないので、入力操作の間違いによって間違った料金が出力される可能性もあり、タクシー利用者側が料金について不信感を抱く可能性もある。また、タクシー事業者側でタクシーの運賃に関する情報と付加サービスの料金に関する情報とを一元的に管理することができない。
【００１３】
本発明は、上述した事情に鑑みてなされたものであり、その目的は、入力操作を容易にすると共に、予め定めた料金体系に従って付加サービスに関する正しい料金を出力することを可能にし、更に時間の長さに応じて変化する料金体系を採用することが可能な付加サービス料金算出装置およびタクシー料金管理システムを提供することにある。
【課題を解決するための手段】
【００１４】
前述した目的を達成するために、本発明に係る付加サービス料金算出装置は、下記（１），（２）を特徴としている。
（１）  タクシー車両に搭載された状態で、少なくとも乗客毎の乗車後の経過時間の長さを表す乗車時間の情報を取得する機能を備えたタクシーメータと接続可能な付加サービス料金算出装置であって、
前記タクシーメータから前記乗車時間の情報を取得する時間情報取得手段と、
少なくともタクシー乗車料金とは別の付加サービスの種類を表す種別情報を入力する種別情報入力手段と、
前記付加サービスの料金体系に関する情報を保持する料金体系情報保持手段と、
前記種別情報と、前記乗車時間の情報と、前記料金体系情報保持手段が保持している料金体系の情報とに基づいて、前記付加サービスの料金を算出する付加サービス料金算出手段と
を備え、
前記料金体系情報保持手段が、前記付加サービスの種別毎に、該当する付加サービスの種別の内容を表す文字列情報を保持し、
前記付加サービス料金算出手段が、算出した付加サービスの料金と該当する付加サービスに割り当てられた前記文字列情報とを対にして出力する
こと。
（２）  前記（１）に記載の付加サービス料金算出装置であって、
前記種別情報入力手段は、前記乗車時間に応じて料金が変化する第１組の付加サービス
の種別情報に関する入力と、前記乗車時間とは無関係の固定料金が割り当てられた第２組
の付加サービスの種別情報に関する入力とを個別に受け付け、
前記料金体系情報保持手段は、前記第１組の付加サービスの種別毎に、前記乗車時間の
長さの区分に対応した複数の料金情報と、前記第２組の付加サービスの種別毎に割り当て
られた料金情報とを保持すること。
【００１５】
上記（１）の構成の付加サービス料金算出装置によれば、付加サービスの料金算出に必要な乗車時間の情報をタクシーメータから自動的に取得するので、この情報をタクシー乗務員等が手作業で入力する必要がない。従って、入力ミスによる料金の計算間違いが生じにくく操作が容易である。また、乗車時間の長さに応じて変化する料金体系を採用できるので、介護タクシーサービスなど、様々な付加サービスの料金計算に利用できる。
また、付加サービスの料金に関する金額と共に、それの種類を表す文字列情報が出力されるので、サービスの利用者等は何のサービスに対してどれだけの金額が課金されたのかを容易に把握できる。
また、上記（２）の構成の付加サービス料金算出装置によれば、乗車時間に応じて料金が変化する第１組の付加サービスと、乗車時間とは無関係の固定料金が割り当てられる第２組の付加サービスとを組み合わせたサービスの全体について料金の総額を正しく算出することができる。
【００１６】
前述した目的を達成するために、本発明に係るタクシー料金管理システムは、下記（３）を特徴としている。
（３）  タクシー車両に搭載された状態で、少なくとも乗客毎の乗車後の経過時間の長さを表す乗車時間の情報を取得する機能を備えたタクシーメータと、これに接続可能な付加サービス料金算出装置とで構成されるタクシー料金管理システムあって、
少なくともタクシー乗車料金とは別の付加サービスの料金体系に関する情報と、前記付加サービスの種別毎の内容を表す文字列情報とを前記付加サービス料金算出装置に保持し、
前記乗車時間の情報を前記タクシーメータから前記付加サービス料金算出装置に送信し、
所定の入力操作部から前記付加サービス料金算出装置に対して、少なくともタクシー乗車料金とは別の付加サービスの種類を表す種別情報を入力し、
前記付加サービス料金算出装置が、前記付加サービスの種別情報と、前記乗車時間の情報と、前記付加サービスの料金体系の情報とに基づいて、前記付加サービスの料金を算出し、算出した付加サービスの前記料金と、当該付加サービスに割り当てられた前記文字列情報とを対にして出力する
こと。
【００１７】
上記（３）の構成のタクシー料金管理システムによれば、付加サービスの料金算出に必要な乗車時間の情報をタクシーメータが付加サービス料金算出装置に送信するので、この情報をタクシー乗務員等が手作業で入力する必要がない。従って、入力ミスによる料金の計算間違いが生じにくく操作が容易である。また、乗車時間の長さに応じて変化する料金体系を採用できるので、介護タクシーサービスなど、様々な付加サービスの料金計算に利用できる。
【発明の効果】
【００１８】
以上のように、本発明の付加サービス料金算出装置およびタクシー料金管理システムによれば、入力操作が容易であり、予め定めた料金体系に従って付加サービスに関する正しい料金を出力することが可能であり、しかも時間の長さに応じて変化する料金体系を採用することが可能になる。
【００１９】
以上、本発明について簡潔に説明した。更に、以下に説明される発明を実施するための形態を添付の図面を参照して通読することにより、本発明の詳細は更に明確化されるであろう。
【図面の簡単な説明】
【００２０】
【図１】タクシー料金管理システムの構成例を示すブロック図である。
【図２】図１に示したタクシー料金管理システムの各部の主要な動作を表すフローチャートである。
【図３】図１のタクシー料金管理システムが保持しているテーブルの内容の具体例を示す模式図である。
【図４】図１に示す入出力ユニットに対する入力と出力される表示内容の関係の具体例を示す模式図である。
【図５】図１に示すタクシーメータの外観の具体例を示す正面図である。
【発明を実施するための形態】
【００２１】
本発明の付加サービス料金算出装置およびタクシー料金管理システムに関する具体的な実施の形態について、各図を参照しながら以下に説明する。
【００２２】
本実施形態のタクシー料金管理システムの構成例が図１に示されている。図１に示すように、このタクシー料金管理システム１００は、タクシー車両に搭載される車載装置として構成され、タクシーメータ１０、ＥＴＣ（登録商標）（Electronic Toll Collection System）車載器２０、接続ボックス３０、ＧＰＳ（Global Positioning System）受信機４０、入出力ユニット５０を備えている。
【００２３】
タクシーメータ１０は、基本的な機能として一般的な構成のタクシーメータと同等の機能を有し、更に後で説明する特別な機能を有している。タクシーの運行業務等の業務記録のデータを自動的に保存するために、タクシーメータ１０は記録カード１５が装着された状態で使用される。
【００２４】
記録カード１５は、例えばフラッシュメモリのようにデータの書き込み及び読み出しが可能な不揮発性の記録媒体を内蔵しており、タクシーメータ１０に対して着脱自在に構成されている。従って、タクシーの運行業務が終了した後で、データが記録された記録カード１５をタクシーメータ１０から取り外し、この記録カード１５を単独で持ち運ぶことができる。
【００２５】
すなわち、各乗務員の運行業務の内容（実績）を分析するような場合には、タクシー会社の事務所等に設置される事務所用データ分析装置６０を用いて各記録カード１５に記録されたデータを読み取り、その内容を分析することができる。事務所用データ分析装置６０は一般的なパーソナルコンピュータ等で構成され、予め用意されたデータ分析用の特別なアプリケーションプログラムを実行することにより各種のデータ分析を行うことができる。記録カード１５のデータを読み取るために、事務所用データ分析装置６０にはカードリーダ６１が接続されている。
【００２６】
ＥＴＣ（登録商標）車載器２０は、当該車両が有料道路を通行する際に料金所のシステムとの間で通信し、通行料金に関する決済処理を行う。また、ＥＴＣ（登録商標）車載器２０は有料道路で支払った通行料金等に関する情報をタクシーメータ１０に出力する。
【００２７】
タクシーメータ１０は、タクシー料金管理システム１００に含まれる他の装置との間でデータ通信するために、通信インタフェース１１を備えている。すなわち、タクシーメータ１０は、接続ボックス３０を介して、ＧＰＳ受信機４０および入出力ユニット５０と接続されているので、ＧＰＳ受信機４０との間および入出力ユニット５０との間で通信することができる。
【００２８】
ＧＰＳ受信機４０は、複数のＧＰＳ衛星からの電波を受信して、車両の現在位置に関する情報を得ることができる。ＧＰＳ受信機４０が得た位置情報は、接続ボックス３０を経由してタクシーメータ１０や入出力ユニット５０に入力される。
【００２９】
入出力ユニット５０は、入出力装置５１、プリンタ５２、計算処理部（付加サービス料金算出手段）５３、記憶部（料金体系情報保持手段）５４、通信インタフェース（時間情報取得手段）５５を備えている。なお、図１に示した構成例においては、１つの入出力ユニット５０の中に入出力装置５１とプリンタ５２とを含む場合を想定しているが、入出力装置５１とプリンタ５２とを互いに独立した装置として構成しても良い。また、計算処理部５３や記憶部５４の機能をプリンタ５２の内部に、あるいは入出力装置５１の内部に設けても良い。
【００３０】
入出力装置５１は、介護タクシーサービスのような付加サービスを実施する場合に使用される。入出力装置５１は、入力操作のための操作部（種別情報入力手段）５１ｂと、表示部５１ａとを備えている。この操作部は、様々な情報を入力するために、特別な「介護ボタン」、「セットボタン」、「訂正ボタン」や、数字（０〜９）を入力するためのテンキーなどを備えている。また、表示部５１ａは、比較的小さい画面の中に、日本語の文字列や数値などの情報を表示する機能を備えている。
【００３１】
プリンタ５２は、タクシーの運賃やその他の付加サービスに関する料金の決済に関する領収書を発行するための印刷機能を有している。
【００３２】
記憶部５４は、付加サービスである介護サービスの料金計算に必要な料金体系を表す情報を予め保持している読み出し専用メモリである。記憶部５４上には、例えば図３に示したテーブルＴＢ１、ＴＢ２のような内容に相当するデータが保持されている。
【００３３】
図３に示したテーブルＴＢ１においては、サービス内容の種類として、「乗降介助」、「身体介護」、「一般貸し切り」が設けてあり、サービスの種類毎に、時間帯の区分に応じた集金額が登録されている。また、サービスの種類毎に、そのサービスの内容を表す文字列である「乗降介助」、「身体介護」、「一般貸し切り」がそれぞれ印字名称として登録されている。
【００３４】
図３に示したテーブルＴＢ２には、予め定めた８種類のオプションサービスのそれぞれについて、集金額と印字名称の文字列とがそれらに割り当てた入力番号と共にが登録されている。８種類のオプションサービスのそれぞれは、「小型スロープ付車両」、「車椅子」、「大型寝台車両」、「お迎え」、「階段介助」、「リクライニング式車椅子」、「ストレッチャー」、「点滴棒」を表している。
【００３５】
計算処理部５３は、タクシー乗務員等が入力した情報と、記憶部５４が保持している料金体系の情報と、タクシーメータ１０から入力される乗車時間の情報とに基づいて、主として付加サービスである介護サービスの料金計算を行う。計算処理部５３の処理については後で詳細に説明する。
【００３６】
通信インタフェース５５は、入出力ユニット５０内の入出力装置５１、プリンタ５２、計算処理部５３がタクシーメータ１０との間でデータをやりとりするために設けてある。
【００３７】
図１に示したタクシーメータ１０の動作および入出力ユニット５０の動作の概要が図２に示されている。まず、タクシーメータ１０の動作について説明する。なお、タクシーメータ１０の外観については一般的に図５に示すような構成になっている場合が多い。図５に示すように、タクシーメータ１０の操作部には多数のボタン、例えば「空車」ボタンＢ１、「実車」ボタンＢ２、「支払」ボタンＢ３、「合計」ボタンＢ４が設けてある。
【００３８】
タクシーが乗客を乗せて運行を開始する時には、タクシー乗務員の操作によってタクシーメータ１０の「実車」ボタンＢ２が押下される。図２のステップＳ１１では、タクシーメータ１０が「実車」ボタンＢ２の入力操作を受け付ける。
【００３９】
「実車」ボタンＢ２が押下されると、ステップＳ１２でタクシーメータ１０はその表示部に所定の実車画面を表示する。すなわち、「賃走」であることを表示すると共に、最新のタクシー運賃を計算してその運賃を表示する。タクシー運賃を計算するための料金体系に関する情報は、タクシーメータ１０の内部に予め保持されている。
【００４０】
タクシー運賃の料金体系については、一般的に、所定の算出条件（料金制と呼ばれる）に基づき、基本料金（基本運賃）と走行距離や走行時間に応じて算出される加算料金（後続料金と呼ばれる）との合計として算出される。
【００４１】
ここでは、具体例として次のような料金制が適用される場合を想定する。
基本運賃：７１０円
基本距離（基本運賃の範囲内で走行な可能な距離）：２０００ｍ
後続運賃（一定の距離又は時間毎に加算する運賃）：９０円
後続距離（後続運賃を適用する距離の長さ）：２００ｍ
後続時間（後続運賃を適用する時間の長さ）：１０５秒
【００４２】
この場合、２０００ｍまでの走行については基本運賃の７１０円だけが適用される。また、走行距離が２０００ｍを超えると後続運賃の９０円が加算される。更に、２０００ｍを超えてから更に後続距離の２００ｍを走行するか、又は後続時間の１０５秒を経過すると後続運賃の９０円が再び加算される。従って、例えば２５００ｍを走行した場合には、次のように合計運賃が算出される。
合計運賃＝７１０円（基本運賃）＋９０円（後続運賃）×３
【００４３】
従って、タクシーメータ１０は乗客の乗車時間を計測する必要がある。そこで、「実車」ボタンＢ２が押下されると、この時点で、つまりステップＳ１３で時間計測を開始する。
【００４４】
タクシー車両が目的地に到着して停車した後、タクシー乗務員の操作によってタクシーメータ１０の「支払」ボタンＢ３が押下される。図２のステップＳ１４では、タクシーメータ１０が「支払」ボタンＢ３の入力操作を受け付ける。
【００４５】
「支払」ボタンＢ３押下により、今回の営業運転の終了が確定する。従って、この場合の乗客の乗車時間は、ステップＳ１３で時間計測を開始してから「支払」ボタンＢ３押下を検出するまでの経過時間として算出される。そこで、タクシーメータ１０は算出した乗車時間の情報を通信インタフェース１１を介して入出力ユニット５０に送信する。
【００４６】
また、タクシーメータ１０は次のステップＳ１５でタクシー運賃の計算を行う。ここでは、上述のような走行中に表示する運賃の他に、割増料金（高速道路の料金、迎車料金等）や料金割引に関する計算も行う。
【００４７】
ステップＳ１６では、タクシーメータ１０はその表示部に所定の支払画面を表示する。すなわち、「支払」状態であることを表示すると共に、最終的なタクシー運賃を表示する。なお、ステップＳ１６で表示されるタクシー運賃は、割増料金や料金割引を考慮していない料金である。
【００４８】
この後、タクシー乗務員の操作によってタクシーメータ１０の「合計」ボタンＢ４が押下される。図２のステップＳ１４では、タクシーメータ１０が「合計」ボタンＢ４の入力操作を受け付ける。そして、次のステップＳ１８では、タクシーメータ１０はその表示部に所定の合計画面を表示する。すなわち、ステップＳ１６で表示したタクシー運賃に、割増料金を加算したり料金割引を適用した合計のタクシー運賃を表示する。
【００４９】
また、タクシーメータ１０は、ステップＳ１６又はステップＳ１８で表示するタクシー運賃の情報を、通信インタフェース１１を介して入出力ユニット５０に送信する。乗客の料金支払いによって１回の運行業務が終了するので、ステップＳ１９でタクシーメータ１０は時間の計測を終了する。
【００５０】
また、タクシー車両から乗客を降ろし、空車状態になった時に、タクシーメータ１０は今回の業務で生成された営業データを記録カード１５に書き込む。この営業データには、乗客が支払ったタクシー運賃の金額や、運転開始位置、運転終了位置、運転開始時刻、運転終了時刻などの情報が含まれる。また、後述するように、介護タクシーサービスを行った場合には、介護サービスに関する種類やサービス料金のデータが入出力ユニット５０から入力されるので、これらも営業データとしてタクシーメータ１０が記録カード１５に記録する。
【００５１】
次に、入出力ユニット５０の動作について説明する。
前述のように、タクシーメータ１０と入出力ユニット５０との間では相互にデータ通信を行うことができる。従って、図２に示すステップＳ２１では、入出力装置５１がタクシーメータ１０から入力された情報を取得し、タクシーメータ１０のステップＳ１２の動作と同様に実車画面の内容を入出力装置５１の表示部５１ａに表示することができる。
【００５２】
また、ステップＳ２２では、入出力装置５１がタクシーメータ１０から入力された情報を取得し、タクシーメータ１０のステップＳ１８の動作と同様に合計画面の内容を入出力装置５１の表示部５１ａに表示することができる。
【００５３】
また、入出力ユニット５０はタクシーメータ１０から乗車時間の情報やタクシー運賃の情報をステップＳ２３で受信するので、これらの情報を利用して後述する計算を行うことができる。
【００５４】
所定の介護サービスを実施した場合には、タクシー乗務員等が入出力装置５１の操作部５１ｂを操作し、操作部５１ｂの「介護ボタン」を押下する。入出力装置５１はこの入力操作をステップＳ２４で受け付ける。
【００５５】
「介護ボタン」の押下を検出すると、次のステップＳ２５で入出力装置５１は介護サービスの時間の長さを算出する。この介護サービスの時間については、ステップＳ２３でタクシーメータ１０から受信した乗車時間の情報をそのまま適用する場合もあるし、前記乗車時間に予め定めた計算式を用いて時間の長さを計算しその結果を利用する場合もある。
【００５６】
「介護ボタン」の押下を検出すると、入出力装置５１は表示部５１ａに図４に示すようなサービス種類入力画面Ｃ１を表示する。図４に示すように、このサービス種類入力画面Ｃ１にはステップＳ２５で算出した時間の情報と、選択可能なサービスの種類である「１．乗降介助」、「２．身体介護」、「３．一般貸し切り」が表示される。
【００５７】
そこで、このサービス種類入力画面Ｃ１が表示された状態で、タクシー乗務員等が入出力装置５１の操作部５１ｂを操作し、操作部５１ｂのテンキーを用いてサービスの種類を表す数値（１〜３）を入力する。入出力装置５１はステップＳ２６でこの選択入力を受け付ける。
【００５８】
ここで数値の「１」、「２」、「３」が入力されると、入出力ユニット５０の処理はそれぞれ図２のステップＳ２７、Ｓ２８、Ｓ２９に進む。
【００５９】
ステップＳ２７では、計算処理部５３は「乗降介助」のサービスに割り当てられた料金体系に従って、サービスの料金を算出する。すなわち、記憶部５４に保持されている図３に示すようなテーブルＴＢ１を参照し、テーブルＴＢ１内の「乗降介助」の項目の中で、ステップＳ２５で算出した時間の長さに相当する時間帯の区分に割り当てられた集金額を取得する。
【００６０】
ステップＳ２８では、計算処理部５３は「身体介助」のサービスに割り当てられた料金体系に従って、サービスの料金を算出する。すなわち、前記テーブルＴＢ１を参照し、テーブルＴＢ１内の「身体介助」の項目の中で、ステップＳ２５で算出した時間の長さに相当する時間帯の区分に割り当てられた集金額を取得する。
【００６１】
ステップＳ２９では、計算処理部５３は「一般貸し切り」のサービスに割り当てられた料金体系に従って、サービスの料金を算出する。すなわち、前記テーブルＴＢ１を参照し、テーブルＴＢ１内の「一般貸し切り」の項目の中で、ステップＳ２５で算出した時間の長さに相当する時間帯の区分に割り当てられた集金額を取得する。
【００６２】
次のステップＳ３０では、入出力装置５１が表示部５１ａにオプションサービス入力画面を表示する。例えばステップＳ２６で数値の「１」が入力された場合には、図４に示すオプションサービス入力画面Ｃ２の内容が表示される。
【００６３】
このオプションサービス入力画面が表示されている時に、タクシー乗務員等が入出力装置５１の操作部５１ｂを操作し、操作部５１ｂのテンキーを用いて各オプションサービスの内容を表す数値（１〜８の１つ又はこれらの組み合わせ）を入力する。入出力装置５１はこの入力操作をステップＳ３１で受け付ける。ここで、例えば「１２」の数値を入力すると、図４に示すオプションサービス入力画面Ｃ３のように入力した数値が表示される。
【００６４】
この場合の数値「１２」は、図３に示すテーブルＴＢ２の番号「１」のサービスである「小型スロープ付車両」および番号「２」のサービスである「車椅子」の双方を同時に指定することを意味する。
【００６５】
図４に示すオプションサービス入力画面Ｃ３のように入力した内容が確定した後、タクシー乗務員等が入出力装置５１の操作部５１ｂを操作し、操作部５１ｂの「セットボタン」を押下する。入出力装置５１はこの入力操作をステップＳ３２で受け付ける。
【００６６】
なお、図４に示すオプションサービス入力画面Ｃ２又はオプションサービス入力画面Ｃ３を表示している状態で、操作部５１ｂの「訂正ボタン」が押された場合には、サービス種類入力画面Ｃ１の表示に戻るので、入力した内容を訂正することができる。
【００６７】
図４に示すオプションサービス入力画面Ｃ３を表示した状態で「セットボタン」が押下されると、ステップＳ３３の処理に進む。ステップＳ３３では、計算処理部５３が入力された内容に従って料金の計算を行う。
【００６８】
すなわち、オプションサービスの料金については、図３に示すテーブルＴＢ２の内容を参照し、ステップＳ３１で入力された数値に対応する各項目のオプションサービスの集金額を取得する。また、ステップＳ２７〜Ｓ２９で算出された集金額と指定された全てのオプションサービスの集金額との合計を算出する。更に、タクシーメータ１０から取得したタクシー運賃と介護サービスの料金とを加算してそれらの合計金額を算出する。
【００６９】
次のステップＳ３４では、ステップＳ３３で算出された合計の支払金額を入出力装置５１が表示部５１ａの画面に表示する。例えば、図４に示す支払金額画面Ｃ４のような内容がステップＳ３４で表示部５１ａに表示される。
【００７０】
図４に示した例では、サービス種類入力画面Ｃ１に示されているように、乗車時間に関連する計測時間の長さが「１時間１３分」であり、オプションサービス入力画面Ｃ２に示されているようにサービスの種類が「１：乗降介助」であるので、図３に示すテーブルＴＢ１から「￥３３５８」の集金額が得られる。また、オプションサービス入力画面Ｃ３に示されているように数値「１２」が入力された場合には、図３に示すテーブルＴＢ２から、オプションサービスである番号「１」の「小型スロープ付車両」の集金額（￥３００）および番号「２」のサービスである「車椅子」の集金額（￥３００）が得られる。そして、これらの合計金額である「￥３９５８」が図４に示す支払金額画面Ｃ４中の支払金額として表示される。
【００７１】
なお、図４に示す支払金額画面Ｃ４中の支払金額は介護サービスおよびオプションサービスの合計金額であるが、これに前記タクシー運賃を加算した結果を支払金額として表示することもできる。
【００７２】
利用者が料金の支払いをする時には、入出力ユニット５０内のプリンタ５２を用いて所定の紙に印刷を行い、領収書を発行することができる。発光する領収書に記入する内容については、タクシーメータ１０から出力されるタクシー運賃だけの場合もあるし、図４に示す支払金額画面Ｃ４の表示内容のように介護サービスおよびオプションサービスの合計金額だけの場合もあるし、タクシー運賃と介護サービスとの合計金額の場合もあるし、詳細表示画面Ｃ５のようにサービス毎の種類および金額を含む場合もある。
【００７３】
また、図３に示したテーブルＴＢ１、ＴＢ２を利用する場合には、サービスの種類毎に「印字名称」として該当する文字列情報が保持されているので、サービスの内容を表す文字列情報を取得することができる。この文字列情報は、プリンタ５２で印刷する領収書の内容に含めたり、入出力装置５１の表示部５１ａに表示する内容に含めることができる。従って、例えば「乗降介助」、「小型スロープ」、「車椅子」の文字列情報をテーブルＴＢ１、ＴＢ２から取得し、図４に示す詳細表示画面Ｃ５のような内容を容易に表示したり印刷することができる。
【００７４】
また、入出力ユニット５０は、ステップＳ３４で、確定した付加サービス（介護サービス）の種類およびサービス料金を表す情報を、タクシーメータ１０に送信する。これにより、タクシーメータ１０は付加サービスの種類および料金の内容を、通常のタクシー運賃等の情報と共に１つの営業データとして記録カード１５に記録することができる。これにより、通常のタクシー業務の営業データと付加サービスの営業データとを記録カード１５上で一元管理することが可能になる。
【産業上の利用可能性】
【００７５】
以上のように、本発明の付加サービス料金算出装置およびタクシー料金管理システムは、一般的なタクシー業務と併行して、例えば介護タクシーサービスなどの新しいサービスを実施する場合に利用できる。本発明の実施により、タクシー乗務員等の入力操作が容易になる。また、入力操作の間違いが生じにくいので、サービス利用者に正しい金額を請求することができる。なお、介護タクシーサービスに限らず、同じような付加サービスを一般的なタクシー業務と併行して実施する場合に本発明は利用できる。
【符号の説明】
【００７６】
１０  タクシーメータ
１１  通信インタフェース
１５  記録カード
２０  ＥＴＣ車載器
３０  接続ボックス
４０  ＧＰＳ受信機
５０  入出力ユニット
５１  入出力装置
５２  プリンタ
５３  計算処理部
５４  記憶部
５５  通信インタフェース
６０  事務所用データ分析装置
６１  カードリーダ
１００  タクシー料金管理システム
【図１】
0005666176.tif 000002
【図２】
0005666176.tif 000003
【図３】
0005666176.tif 000004
【図４】
0005666176.tif 000005
【図５】
0005666176.tif 000006